(57)【要約】      （修正有）【課題】ｅＤＰインタフェース仕様の信号からＭＩＰＩＤＳＩ仕様の信号への画像インタフェース変換を行うブリッジＩＣにおけるパネルセルフリフレッシュ（ＰＳＲ）指示に応答する静止画表示制御の省電力を実現する。【解決手段】ｅＤＰインタフェース仕様の信号をＭＩＰＩＤＳＩ仕様のビデオモードに準拠するビデオパケット又はコマンドモードに準拠するコマンドパケットに変換するブリッジＩＣ３は、入力したＰＳＲの設定指示に応答して、フレームバッファ７へのビデオパケットの画像ストリームデータの取り込みと取り込み後のフレームバッファ７が保持する画像データの表示を指示する第１コマンドパケットを生成し、また、入力したＰＳＲの解除指示に応答して、フレームバッファ７が保持する画像データの表示からビデオパケットで供給される画像データの表示への切り替えを指示する第２のコマンドパケットを出力する。【選択図】図１
2016206368.tif 000002
【特許請求の範囲】
【請求項１】
ｅＤＰ（embedded DisplayPort）インタフェース仕様に準拠する信号を入力する入力部、ＭＩＰＩＤＳＩ（Mobile Industry Processor Interface （登録商標、以下同じ）Alliance Standard for Display Serial Interface）仕様に準拠して信号を出力する出力部、及び前記入力部から入力した信号を前記出力部に渡すための処理を行うブリッジ部を有し、
前記ブリッジ部は、前記入力部から入力した信号に基づいて、ＭＩＰＩＤＳＩ仕様のビデオモードに準拠するビデオパケット又はＭＩＰＩＤＳＩ仕様のコマンドモードに準拠するコマンドパケットを生成して、前記出力部に与える、ブリッジＩＣであって、
前記ブリッジ部は、前記入力部が入力したパネルセルフリフレッシュの設定指示に応答して、ビデオパケットの画像ストリームデータに対するフレームバッファへの取り込みと取り込み後の前記フレームバッファが保持する画像データの表示とを指示する第１のコマンドパケットを生成して前記出力部に与え、前記入力部が入力したパネルセルフリフレッシュの解除指示に応答して、前記フレームバッファが保持する画像データの表示から前記ビデオパケットで時系列に供給される画像データの表示への切り替えを指示する第２のコマンドパケットを前記出力部に与える、ブリッジＩＣ。
【請求項２】
請求項１において、前記ブリッジ部は、前記パネルセルフリフレッシュの設定指示に応答してから前記パネルセルフリフレッシュの解除指示に応答するまでの間、前記入力部が入力したフレームアップデートの指示に応答して、当該指示に付随する画像データと当該画像データによるフレームバッファの書き換え指示を含む第３のコマンドパケットを生成して前記出力部に与える、ブリッジＩＣ。
【請求項３】
請求項１において、前記ブリッジ部が前記パネルセルフリフレッシュの設定指示に応答した後、前記出力部はローパワーモードにされる、ブリッジＩＣ。
【請求項４】
請求項１において、前記ｅＤＰインタフェース仕様に準拠する信号はブランキング期間が前置された前記ピクセルデータを有し、
前記パネルセルフリフレッシュの設定指示は前記ブランキング期間の間に配置され、
前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与える、ブリッジＩＣ。
【請求項５】
請求項４において、前記パネルセルフリフレッシュの解除指示は前記ブランキング期間の中間部に配置され、
前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える、ブリッジＩＣ。
【請求項６】
請求項２において、前記ｅＤＰインタフェース仕様に準拠する信号はブランキング期間が前置された前記ピクセルデータを有し、
前記パネルセルフリフレッシュの設定指示は前記ブランキング期間の間に配置され、
前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与え、
前記パネルセルフリフレッシュの解除指示は前記ブランキング期間の中間部に配置され、
前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与え、
前記フレームアップデートの指示は前記ブランキング期間の中間部に配置され、
前記ブリッジ部は、前記フレームアップデートの指示を間に含む前記ブランキング期間の先頭から始まる垂直同期期間に同期して前記第３のコマンドパケットを前記出力部に与える、ブリッジＩＣ。
【請求項７】
請求項５において、前記入力部は、画像データと制御データの入力に割り当てられるメインリンクと、前記メインリンクよりも低速で制御データの入力に割り当てられる補助入力回路を有し、
前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有し、
前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成する、ブリッジＩＣ。
【請求項８】
請求項６において、前記入力部は、画像データと制御データの入力に割り当てられるメインリンクと、前記メインリンクよりも低速で制御データの入力に割り当てられる補助入力回路を有し、
前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有し、
前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成し、
前記ブリッジ部は更に、前記メインリンクが入力したフレームアップデートの指示に応じて前記第３のコマンドパケットを生成するライトメモリパケットジェネレータを有する、ブリッジＩＣ。
【請求項９】
請求項８において、前記コマンドパケットジェネレータの入力として前記補助入力回路に供給された制御データ又は制御パケットジェネレータが出力する制御パケットの何れを有効とするかを選択する第１セレクタと、前記出力部の入力として前記ビデオパケットジェネレータの出力又は前記ライトメモリパケットジェネレータの出力の何れを有効とするかを選択する第２セレクタを有し、
前記パネルセルフリフレッシュの設定指示に応答して、前記第１セレクタは前記制御パケットジェネレータの出力を有効とし、その次の垂直同期期間から前記第２セレクタはライトメモリパケットジェネレータの出力を有効とし、
前記パネルセルフリフレッシュの解除指示に応答して、その次の垂直同期期間から前記第１セレクタは前記補助入力回路に供給された制御データの出力を有効とし、且つ、前記第２セレクタはビデオパケットジェネレータの出力を有効とする、ブリッジＩＣ。
【請求項１０】
請求項９において、前記フレームアップデートが指示されたとき、前記第１セレクタは前記制御パケットジェネレータの出力を有効な状態に維持し、前記第２セレクタはライトメモリパケットジェネレータの出力を有効な状態に維持する、ブリッジＩＣ。
【請求項１１】
ホスト装置と、前記ホスト装置に接続するブリッジＩＣと、前記ブリッジＩＣに接続する表示ドライバと、前記表示ドライバによって表示制御される表示パネルを供えた電子機器であって、
前記ホスト装置は、ｅＤＰインタフェース仕様に準拠したｅＤＰインタフェース回路を有し、
前記表示ドライバはＭＩＰＩＤＳＩ仕様に準拠したホストインタフェース回路及びフレームバッファを有し、
前記ホストインタフェース回路が受け取った、ＭＩＰＩＤＳＩ仕様のビデオモードに準拠するビデオパケットの画像データとＭＩＰＩＤＳＩ仕様のコマンドモードに準拠するコマンドパケットの制御データ及び画像データに基づいて、前記表示ドライバが前記表示パネルの表示制御を行ない、
前記ブリッジＩＣは、ｅＤＰインタフェース仕様に準拠する信号を前記ｅＤＰインタフェース回路から入力する入力部、ＭＩＰＩＤＳＩ仕様に準拠して前記ホストインタフェース回路に信号を出力する出力部、及び前記入力部から入力した信号を前記出力部に渡すための処理を行うブリッジ部を有し、
前記入力部から入力した信号に基づいて、前記ブリッジ部が、ＭＩＰＩＤＳＩ仕様のビデオモードに準拠するビデオパケット又はＭＩＰＩＤＳＩ仕様のコマンドモードに準拠するコマンドパケットを生成して、前記出力部に与え、
前記ブリッジ部は、前記入力部が入力したパネルセルフリフレッシュの設定指示に応答して、ビデオパケットの画像ストリームデータに対する前記フレームバッファへの取り込みと取り込み後の前記フレームバッファが保持する画像データの表示とを指示する第１のコマンドパケットを生成して前記出力部に与え、前記入力部が入力したパネルセルフリフレッシュの解除指示に応答して、前記フレームバッファが保持する画像データの表示から前記ビデオパケットで時系列に供給される画像データの表示への切り替えを指示する第２のコマンドパケットを前記出力部に与え、
前記第１のコマンドパケットの指示に応答する前記表示ドライバは、前記ホストインタフェース回路が受け取ったビデオパケットの画像ストリームデータを前記フレームバッファへ取り込み、取り込みの後にフレームバッファが保持する画像データを用いて表示パネルを表示制御し、
前記第２のコマンドパケットの指示に応答する前記表示ドライバは、その後に前記ビデオパケットで時系列に供給される画像データを用いて表示パネルを表示制御する、電子機器。
【請求項１２】
請求項１１において、前記ブリッジ部は、前記パネルセルフリフレッシュの設定指示に応答してから前記パネルセルフリフレッシュの解除指示に応答するまでの間、前記入力部が入力したフレームアップデートの指示に応答して、当該指示に付随する画像データと当該画像データによるフレームバッファの書き換え指示を含む第３のコマンドパケットを生成して前記出力部に与え、
前記第３のコマンドパケットの指示に応答する前記表示ドライバは、当該コマンドパケットに含まれる画像データで前記フレームバッファの書き換え、書き換え後の画像データを用いて表示パネルの表示制御を継続する、電子機器。
【請求項１３】
請求項１１において、前記ブリッジ部がパネルセルフリフレッシュの設定指示に応答した後、前記出力部はローパワーモードにされる、電子機器。
【請求項１４】
請求項１１において、前記ｅＤＰインタフェース仕様に準拠する信号はブランキング期間が前置された前記ピクセルデータを有し、
前記パネルセルフリフレッシュの設定指示は前記ブランキング期間の間に配置され、
前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与える、電子機器。
【請求項１５】
請求項１４において、前記パネルセルフリフレッシュの解除指示は前記ブランキング期間の中間部に配置され、
前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える、電子機器。
【請求項１６】
請求項１２において、前記ｅＤＰインタフェース仕様に準拠する信号はブランキング期間が前置された前記ピクセルデータを有し、
前記パネルセルフリフレッシュの設定指示は前記ブランキング期間の間に配置され、
前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与え、
前記パネルセルフリフレッシュの解除指示は前記ブランキング期間の中間部に配置され、
前記ブリッジ部は、前記パネルセルフリフレッシュの解除指示を間に含む前記ブランキング期間の先頭から始まる垂直同期期間に同期前記第２のコマンドパケットを前記出力部に与えると共に、それ以降の垂直同期期間に同期してビデオパケットを前記出力部に与え、
前記フレームアップデートの指示は前記ブランキング期間の中間部に配置され、
前記ブリッジ部は、前記フレームアップデートの指示を間に含む前記ブランキング期間の先頭から始まる垂直同期期間に同期して前記第３のコマンドパケットを前記出力部に与える、電子機器。
【請求項１７】
請求項１５において、前記入力部は、画像データと制御データの入力に割り当てられるメインリンクと、前記メインリンクよりも低速で制御データの入力に割り当てられる補助入力回路を有し、
前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有し、
前記コマンドパケットジェネレータは、前記パネルセルフリフレッシュの設定指示に応じて供給された制御パケットに基づいて前記第１のコマンドパケットを生成し、前記パネルセルフリフレッシュの解除指示に応じて供給された制御パケットに基づいて前記第２のコマンドパケットを生成し、前記補助入力回路から供給された制御データに基づくコマンドパケットを生成する、電子機器。
【請求項１８】
請求項１６において、前記入力部は、画像データと制御データの入力に割り当てられるメインリンクと、前記メインリンクよりも低速で制御データの入力に割り当てられる補助入力回路を有し、
前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有し、
前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成し、
前記ブリッジ部は更に、前記メインリンクが入力したフレームアップデートの指示に応じて前記第３のコマンドパケットを生成するライトメモリパケットジェネレータを有する、電子機器。
【請求項１９】
請求項１８において、前記コマンドパケットジェネレータの入力として前記補助入力回路に供給された制御データ又は制御パケットジェネレータが出力する制御パケットの何れを有効とするかを選択する第１セレクタと、前記出力部の入力として前記ビデオパケットジェネレータの出力又は前記ライトメモリパケットジェネレータの出力の何れを有効とするかを選択する第２セレクタを有し、
前記パネルセルフリフレッシュの設定が指示されたとき、前記第１セレクタは前記制御パケットジェネレータの出力を有効な状態に切り替え、前記第２セレクタは前記ビデオパケットジェネレータの出力を有効な状態に維持し、次の垂直同期期間から前記第２セレクタはライトメモリパケットジェネレータの出力を有効な状態に切り替え、
前記パネルセルフリフレッシュの解除が指示されたとき、その次の垂直同期期間から前記第１セレクタは前記補助入力回路に供給された制御データの出力を有効な状態に切り駆ると共に、と前記第２セレクタはビデオパケットジェネレータの出力を有効な状態に切り替える、電子機器。
【請求項２０】
請求項１９において、前記フレームアップデートが指示されたとき、前記第１セレクタは前記制御パケットジェネレータの出力を有効な状態に維持し、前記第２セレクタはライトメモリパケットジェネレータの出力を有効な状態に維持する、電子機器。
【発明の詳細な説明】
【技術分野】
【０００１】
本発明は、ｅＤＰ（embeded DisplayPort）インタフェース仕様の信号からＭＩＰＩＤＳＩ（Mobile Industry Processor Interface （登録商標、以下同じ）Alliance Standard for Display Serial Interface）仕様の信号への画像インタフェース変換技術に関し、ホスト装置と表示ドライバの間で画像インタフェース変換を行うブリッジＩＣに適用して有効な技術に関する。
【背景技術】
【０００２】
ＶＥＳＡ（Video Electronics Standards Association：ビデオ電子工学標準委員会）により定められたｅＤＰの規格は、ノートブックＰＣやタブレットなど、ディスプレイ装置を内蔵した機器のためのインタフェース規格であり、パネルセルフリフレッシュ（ＰＳＲ；Panel Self-Refresh）という技術を含む。ＰＳＲの技術では、表示パネルに静止画像を表示しようとするとき、表示ドライバは自らのフレームバッファに保存された静止画像を周期的にリードし、リードした静止画像を表示パネルに表示する。
【０００３】
一方、ＭＩＰＩＤＳＩ仕様はＭＩＰＩアライアンスによって策定されたモバイルコンピューティングの標準化のためのインタフェース仕様であって、コマンドモードとビデオモードを規定している。コマンドモードは例えば表示ドライバのレジスタやフレームバッファに対するリード／ライトのコマンドと、レジスタやフレームバッファに対してライトする制御データや画像データを所定のフォーマット（コマンドパケット）で渡す手続きなどについて規定する。ビデオモードはリアルタイムの画像ストリームとして画像データを所定のフォーマット（ビデオパケット）で渡す手続きなどについて規定する。ＭＩＰＩＤＳＩを用いて表示ドライバにＰＳＲ同様に静止画像を表示させようとする場合、コマンドパケットのコマンドにより、当該コマンドパケットに付随する画像データをフレームバッファに書き込み、フレームバッファに書き込まれた静止画像を周期的にリードし、リードした静止画像を表示パネルに表示させる。
【０００４】
特許文献１にはホストプロセッサと表示装置の間にフレームメモリを備えたブリッジチップを配置し、ホストプロセッサとブリッジチップとの間をＭＩＰＩＤＳＩにより接続し、ブリッジチップと表示装置間をＬＶＤＳ（Low Voltage Differential Signaling）により接続した表示システムが示される。ホストプロセッサはモード情報を含むパケット化した画像データと、同期信号とを、ブリッジチップに供給する。モード情報は、スルーモード、パネルセルフリフレッシュ（ＰＳＲ）モードなどであり、スルーモードはブリッジチップが画像データをフレームメモリに記憶することなく表示装置４に伝送する動作モードである。ＰＳＲモードは、ブリッジチップが画像データを圧縮した上でフレームメモリに書き込み、続いて、ブリッジチップがフレームメモリに書き込まれた画像データを読み出して伸張し、画像データを表示装置に伝送する動作モードである。
【先行技術文献】
【特許文献】
【０００５】
【特許文献１】特開２０１４−１８６１９６号公報
【発明の概要】
【発明が解決しようとする課題】
【０００６】
本発明者は、ハイエンドタブレットやデタッチャブルＰＣ（personal computer）などにおいてｅＤＰインタフェース仕様のｅＤＰインタフェース回路を備えたアプリケーションプロセッサと、中小型パネルで一般的であり入手性や価格、消費電力の点で優れているとされるＭＩＰＩＤＳＩ仕様のＭＩＰＩインタフェース回路を備えた表示ドライバを組み合わせて使いたいという要求に応ずるための検討を行った。それによれば、ｅＤＰインタフェースをＭＩＰＩＤＳＩに変換する画像インタフェース変換デバイス(ブリッジＩＣ)が必要となる。そのようなブリッジＩＣに必要な機能について特許文献１には記載はないが、本発明者は以下の点を見出した。
【０００７】
すなわち、そのようなブリッジＩＣは、ｅＤＰインタフェース仕様でホスト装置から供給された画像データ（ＲＧＢデータ）に対してはＭＩＰＩＤＳＩ仕様のビデオパケットを生成して表示ドライバに送信すればよい。また、ホスト装置から供給される制御データに対してはＭＩＰＩＤＳＩのコマンドパケットを生成して表示ドライバに送信すればよい。しかしながら、ｅＤＰインタフェース仕様におけるＰＳＲの指示はホスト装置が所要のタイミングで画像データのブランキング期間に配置して供給してくる。ＭＩＰＩＤＳＩの如く、コマンドパケットに静止画と一緒にＰＳＲのための制御データを配置して供給してくる訳ではない。要するに、ｅＤＰはコマンドパケットによる画像データの供給には対応していない。このため、単に画像インタフェースの変換だけを行う場合にはブリッジＩＣはコマンドパケットによる画像データの供給には対応できず、静止画であっても表示ドライバに対して所要のリフレッシュレートでブリッジＩＣが画像データをビデオパケットにて送信し続ける必要がある。特許文献１の場合にもブリッジチップはフレームバッファの画像データを毎フレーム毎に表示装置に出力しなければならない。このように、ホスト装置からＰＳＲモードの指示があった場合に、ホスト装置だけでなくブリッジＩＣも毎フレームで画像データを表示装置に出力しなくて済むようにはならない。これは、ｅＤＰのｖ１．３にて表示パネル側のリモートフレームバッファに静止画情報を蓄積してホスト装置側の送信を停止する省電力機能、更には、ＭＩＰＩＤＳＩにおいてフレームバッファを持つ表示ドライバにおけるコマンドモードによる静止画表示時の省電力化の何れにも対応不可能になる。
【０００８】
本発明の目的は、ｅＤＰインタフェース仕様の信号からＭＩＰＩＤＳＩ仕様の信号への画像インタフェース変換を行うブリッジＩＣにおけるＰＳＲ指示に応答する静止画表示制御の省電力を実現することにある。
【０００９】
本発明の前記並びにその他の目的と新規な特徴は本明細書の記述及び添付図面から明らかになるであろう。
【課題を解決するための手段】
【００１０】
本願において開示される発明のうち代表的なものの概要を簡単に説明すれば下記の通りである。尚、本項において括弧内に記載した図面内参照符号などは理解を容易化するための一例である。
【００１１】
〔１〕＜パネルセルフリフレッシュの設定／解除指示への対応＞
ブリッジＩＣ（３）は、ｅＤＰインタフェース仕様に準拠する信号を入力する入力部（１１）、ＭＩＰＩＤＳＩ仕様に準拠して信号を出力する出力部（１３）、及び前記入力部から入力した信号を前記出力部に渡すための処理を行うブリッジ部（１２）を有する。前記ブリッジ部は、前記入力部から入力した信号に基づいて、ＭＩＰＩＤＳＩ仕様のビデオモードに準拠するビデオパケット又はＭＩＰＩＤＳＩ仕様のコマンドモードに準拠するコマンドパケットを生成して、前記出力部に与える。そのブリッジ部は、前記入力部が入力したパネルセルフリフレッシュの設定指示（PSR Entry SDP）に応答して、ビデオパケットの画像ストリームデータに対するフレームバッファへの取り込み指示と取り込み後の前記フレームバッファが保持する画像データの表示を指示する第１のコマンドパケット（ＣＯＭ１）を生成して前記出力部に与え、前記入力部が入力したパネルセルフリフレッシュの解除指示（PSR Exit SDP）に応答して、前記フレームバッファ（７）が保持する画像データの表示から前記ビデオパケットで時系列に供給される画像データの表示への切り替えを指示する第２のコマンドパケット（ＣＯＭ２）を前記出力部に与える。
【００１２】
これによれば、フレームバッファを備えＭＩＰＩＤＳＩ仕様に準拠したインタフェースを有する表示ドライバはブリッジＩＣから第１のコマンドパケットとビデオパケットを受け取ることにより、ビデオパケットの画像ストリームデータをフレームバッファに取り込み、取り込んだ後はフレームバッファが保持する画像データを毎フレーム読み出して表示制御を行うことができる。その間、ブリッジＩＣは画像ストリームデータを毎フレーム出力することを要さず、ホスト装置もブリッジＩＣに画像ストリームデータを毎フレーム出力することを要しない。このことにより、ＰＳＲ指示に応答する静止画表示制御の省電力が実現される。特に、第１のパケットコマンドに付随するビデオパケットの画像ストリームデータがフレームバッファに取得されるのに並行して表示されるので、ビデオ表示から静止画表示への切り替えに際して表示不能になる表示フレームはない。また、ブリッジＩＣから前記表示ドライバが第２コマンドを受け取ることにより、表示ドライバはフレームバッファを用いた静止画表示からビデオパケットで時系列に供給される画像データの表示に制御を切り替えることができる。
【００１３】
〔２〕＜フレームアップデートの指示に対する応答＞
項１において、前記ブリッジ部は、前記パネルセルフリフレッシュの設定指示に応答してから前記パネルセルフリフレッシュの解除指示に応答するまでの間、前記入力部が入力したフレームアップデートの指示（Signal Frame Update SDP）に応答して、当該指示に付随する画像データと当該画像データによるフレームバッファの書き換え指示を含む第３のコマンドパケット（ＣＯＭ３）を生成して前記出力部に与える。
【００１４】
これによれば、第３のパケットコマンドにより表示ドライバの静止画データをアップデートすることができる。
【００１５】
〔３〕＜パネルセルフリフレッシュ設定指示の応答した後に送信部はローパワーモード＞
項１において、前記ブリッジ部が前記パネルセルフリフレッシュの設定指示に応答した後、前記出力部はローパワーモードにされる。
【００１６】
これによれば、ブリッジＩＣは前記パネルセルフリフレッシュを設定した後にＭＩＰＩＤＳＩに準拠するローパワーモードによって低消費電力を実現する。
【００１７】
〔４〕＜最後のビデオパケットのデータをフレームバッファに取得して表示＞
項１において、前記ｅＤＰインタフェース仕様に準拠する信号はブランキング期間（ＶＢＬＡＮＫ）が前置された前記ピクセルデータを有する。前記パネルセルフリフレッシュの設定指示は前記ブランキング期間の間に配置される（図６参照）。前記ブリッジ部は、前記パネルセルフリフレッシュの設定指示を間に含む前記ブランキング期間の先頭から始まる垂直同期期間（Ｔｖ＿１）に同期して前記第１のコマンドパケットとそれによる指示で前記フレームバッファに取り込まれる画像ストリームデータを含むビデオパケットを前記出力部に与える。
【００１８】
これによれば、ブランキング期間の先頭から始まる垂直同期期間に同期して前記第１のコマンドパケットとビデオパケットの双方を出力部から前記表示ドライバに与えることができるので、第１のコマンドパケットと表示ドライバの垂直同期タイミング制御を含んだビデオパケットの出力タイミングを調整することができ、ビデオ表示から静止画表示への切り替えに際して表示不能になる表示フレームの発生を防止することが容易になる。
【００１９】
〔５〕＜パネルセルフリフレッシュ解除指示の次の垂直同期期間からビデオパケットにより表示＞
項４において、前記パネルセルフリフレッシュの解除指示は前記ブランキング期間の中間部に配置される（図８参照）。前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える。
【００２０】
これによれば、ブランキング期間の先頭から始まる垂直同期期間に同期して前記表示ドライバに前記第２のコマンドパケットが与えられたとき表示ドライバは当該垂直同期期間に同期してフレームバッファを利用した静止画表示を行うことになるので、その次の垂直同期期間からビデオパケットによる画像ストリームデータの表示が可能にされる。
【００２１】
〔６〕＜フレームアップデート指示に対する応答＞
項２において、前記ｅＤＰインタフェース仕様に準拠する信号はブランキング期間が前置された前記ピクセルデータを有する。前記パネルセルフリフレッシュの設定指示は前記ブランキング期間の間に配置され（図６参照）、前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与える。前記パネルセルフリフレッシュの解除指示は前記ブランキング期間の中間部に配置され（図８参照）、前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える。前記フレームアップデートの指示は前記ブランキング期間の中間部に配置され（図７参照）、前記ブリッジ部は、前記フレームアップデートの指示を間に含む前記ブランキング期間の先頭から始まる垂直同期期間に同期して前記第３のコマンドパケットを前記出力部に与える。
【００２２】
これによれば、項４及び項５と同様の作用効果を奏する。更に、前記フレームアップデートの指示に応ずる垂直同期期間に同期して第３のコマンドパケットが出力部に与えられるので、フレームバッファのアップデートに際して表示不能になる表示フレームの発生を防止することが容易である。
【００２３】
〔７〕＜制御パケットジェネレータ＞
項５において、前記入力部は、画像データと制御データの入力に割り当てられるメインリンクと、前記メインリンク（２０）よりも低速で制御データの入力に割り当てられる補助入力回路（２１）を有する。前記ブリッジ部は、前記メインリンクから入力した信号に基づいて前記ビデオパケットを生成するビデオパケットジェネレータ（３７）と、前記第１のコマンドパケット及び第２のコマンドパケットを生成するための制御パケットを生成する制御パケットジェネレータ（３５）と、前記制御パケット又は前記補助入力回路から入力した制御データが選択的に供給されて前記コマンドパケットを生成するコマンドパケットジェネレータ（３４）を有する。前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成する。
【００２４】
これによれば、画像データと共にメインリックから供給されるパネルセルフリフレッシュの設定指示／解除指示に応じた制御パケットを制御パケットジェネレータが生成してコマンドパケットジェネレータに与え、それに応じてコマンドパケットジェネレータが第１のコマンドパケット／第２のコマンドパケットを生成するから、メインリンクから入力されるパネルセルフリフレッシュ設定指示だけで第１のコマンドパケットを容易に生成でき、同じくメインリンクから入力されるパネルセルフリフレッシュ解除指示だけで第２のコマンドパケットを容易に生成することができる。
【００２５】
〔８〕＜ライトメモリパケットジェネレータ＞
項６において、前記入力部は、画像データと制御データの入力に割り当てられるメインリンク（２０）と、前記メインリンクよりも低速で制御データの入力に割り当てられる補助入力回路（２１）を有する。前記ブリッジ部は、前記メインリンクから入力した信号に基づいて前記ビデオパケットを生成するビデオパケットジェネレータ（３３）と、前記第１のコマンドパケット及び第２のコマンドパケットを生成するための制御パケットを生成する制御パケットジェネレータ（３５）と、前記制御パケット又は前記補助入力回路から入力した制御データが選択的に供給されて前記コマンドパケットを生成するコマンドパケットジェネレータ（３４）を有する。前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成する。前記ブリッジ部は更に、前記メインリンクが入力したフレームアップデートの指示に応じて、画像データと当該画像データによるフレームバッファの書き換え指示を含む第３のコマンドパケットを生成するライトメモリパケットジェネレータ（３７）を有する。
【００２６】
これによれば、項７と同様の作用効果を奏する。更に、画像データと共にメインリックから供給されるフレームアップデートの指示に応じて、フレームバッファのアップデートの指示とそれに用いる画像データを含む第３のコマンドパケットを容易に生成することができる。
【００２７】
〔９〕＜パネルセルフリフレッシュの設定／解除でセレクタによる経路選択＞
項８において、前記コマンドパケットジェネレータの入力として前記補助入力回路に供給された制御データ又は制御パケットジェネレータが出力する制御パケットの何れを有効とするかを選択する第１セレクタ（３６）と、前記出力部の入力として前記ビデオパケットジェネレータの出力又は前記ライトメモリパケットジェネレータの出力の何れを有効とするかを選択する第２セレクタ（３８）を有する。前記パネルセルフリフレッシュの設定が指示されたとき、前記第１セレクタは前記制御パケットジェネレータの出力を有効な状態に切り替え、前記第２セレクタは前記ビデオパケットジェネレータの出力を有効な状態に維持し、その次の垂直同期期間から前記第２セレクタはライトメモリパケットジェネレータの出力を有効な状態に切り替える。前記パネルセルフリフレッシュの解除が指示されたとき、その次の垂直同期期間から前記第１セレクタは前記補助入力回路に供給された制御データの出力を有効な状態に切り替えると共に、前記第２セレクタはビデオパケットジェネレータの出力を有効な状態に切り替える。
【００２８】
これによれば、パネルセルフリフレッシュの設定／解除の指示に従ってセレクタを制御することにより必要な機能選択を簡単に行うことができる。
【００２９】
〔１０〕＜フレームアップデート時にセレクタは選択状態維持＞
請求項９において、前記フレームアップデートが指示されたとき、前記第１セレクタは前記制御パケットジェネレータの出力を有効な状態に維持し、前記第２セレクタはライトメモリパケットジェネレータの出力を有効な状態に維持する。
【００３０】
これによれば、前記フレームアップデートの指示があっても第１セレクタ及び第２セレクタイの状態を変更することを要せず、セレクタに対する制御処理が簡素化される。
【００３１】
〔１１〕＜パネルセルフリフレッシュの設定／解除指示への対応＞
本発明に係る電子機器（１）は、ホスト装置（２）と、前記ホスト装置に接続するブリッジＩＣ（３）と、前記ブリッジＩＣに接続する表示ドライバ（４）と、前記表示ドライバによって表示制御される表示パネル（５）を備える。前記ホスト装置は、ｅＤＰインタフェース仕様に準拠したｅＤＰインタフェース回路（８）を有する。前記表示ドライバはＭＩＰＩＤＳＩ仕様に準拠したホストインタフェース回路（６）及びフレームバッファ（７）を有する。前記ホストインタフェース回路が受け取った、ＭＩＰＩＤＳＩ仕様のビデオモードに準拠するビデオパケットの画像データとＭＩＰＩＤＳＩ仕様のコマンドモードに準拠するコマンドパケットの制御データ及び画像データに基づいて、前記表示ドライバが前記表示パネルの表示制御を行う。前記ブリッジＩＣは、ｅＤＰインタフェース仕様に準拠する信号を前記ｅＤＰインタフェース回路から入力する入力部、ＭＩＰＩＤＳＩ仕様に準拠して前記ホストインタフェース回路に信号を出力する出力部、及び前記入力部から入力した信号を前記出力部に渡すための処理を行うブリッジ部を有する。前記入力部から入力した信号に基づいて、前記ブリッジ部が、ＭＩＰＩＤＳＩ仕様のビデオモードに準拠するビデオパケット又はＭＩＰＩＤＳＩ仕様のコマンドモードに準拠するコマンドパケットを生成して、前記出力部に与える。前記ブリッジ部は、前記入力部が入力したパネルセルフリフレッシュの設定指示に応答して、ビデオパケットの画像ストリームデータに対する前記フレームバッファへの取り込みと取り込み後の前記フレームバッファが保持する画像データの表示を指示する第１のコマンドパケットを生成して前記出力部に与え、前記入力部が入力したパネルセルフリフレッシュの解除指示に応答して、前記フレームバッファが保持する画像データの表示から前記ビデオパケットで時系列に供給される画像データの表示への切り替えを指示する第２のコマンドパケットを前記出力部に与える。前記第１のコマンドパケットの指示に応答する前記表示ドライバは、前記ホストインタフェース回路が受け取ったビデオパケットの画像ストリームデータを前記フレームバッファに取り込むのと並行して表示し、取り込みの後にフレームバッファが保持する画像データを用いて表示パネルを表示制御する。前記第２のコマンドパケットの指示に応答する前記表示ドライバは、その後に前記ビデオパケットで時系列に供給される画像データを用いて表示パネルを表示制御する。
【００３２】
これによれば、表示ドライバはブリッジＩＣから第１のコマンドパケットとビデオパケットを受け取ることにより、ビデオパケットの画像ストリームデータをフレームバッファに取り込み、取り込んだ後はフレームバッファが保持する画像データを毎フレーム読み出して表示制御を行うことができる。その間、ブリッジＩＣは画像ストリームデータを毎フレーム出力することを要さず、ホスト装置もブリッジＩＣに画像ストリームデータを毎フレーム出力することを要しない。このことにより、ＰＳＲ指示に応答する静止画表示制御の省電力が実現される。特に、第１のパケットコマンドに付随するビデオパケットの画像ストリームデータがフレームバッファに取得されるのに並行して表示されるので、ビデオ表示から静止画表示への切り替えに際して表示不能になる表示フレームはない。また、ブリッジＩＣから前記表示ドライバが第２コマンドを受け取ることにより、表示ドライバはフレームバッファを用いた静止画表示からビデオパケットで時系列に供給される画像データの表示に制御を切り替えることができる。
【００３３】
〔１２〕＜フレームアップデートの指示に対する応答＞
項１１において、前記ブリッジ部は、前記パネルセルフリフレッシュの設定指示に応答してから前記パネルセルフリフレッシュの解除指示に応答するまでの間、前記入力部が入力したフレームアップデートの指示に応答して、当該指示に付随する画像データと当該画像データによるフレームバッファの書き換え指示を含む第３のコマンドパケットを生成して前記出力部に与える。前記第３のコマンドパケットの指示に応答する前記表示ドライバは、当該コマンドパケットに含まれる画像データで前記フレームバッファの書き換え、書き換え後の画像データを用いて表示パネルの表示制御を継続する。
【００３４】
これによれば、第３のパケットコマンドにより表示ドライバの静止画データをアップデートすることができる。
【００３５】
〔１３〕＜パネルセルフリフレッシュ設定指示の応答した後に送信部はローパワーモード＞
項１１において、前記ブリッジ部がパネルセルフリフレッシュの設定指示に応答した後、前記出力部はローパワーモードにされる。
【００３６】
これによれば、ブリッジＩＣは前記パネルセルフリフレッシュを設定した後にＭＩＰＩＤＳＩに準拠するローパワーモードによって低消費電力を実現する。
【００３７】
〔１４〕＜最後のビデオパケットのデータをフレームバッファに取得して表示＞
請求項１１において、前記ｅＤＰインタフェース仕様に準拠する信号はブランキング期間が前置された前記ピクセルデータを有する。前記パネルセルフリフレッシュの設定指示は前記ブランキング期間の間に配置され、前記ブリッジ部は、前記パネルセルフリフレッシュの設定指示を間に含む前記ブランキング期間の先頭に同期する垂直同期期間に前記第１のコマンドパケットとそれによる指示で前記フレームバッファに取り込まれる画像ストリームデータを含むビデオパケットを前記出力部に与える。
【００３８】
これによれば、ブランキング期間の先頭に同期する垂直同期期間に前記第１のコマンドパケットとビデオパケットの双方を出力部から前記表示ドライバに与えることができるので、第１のコマンドパケットと表示ドライバの垂直同期タイミング制御を含んだビデオパケットの出力タイミングを調整することができ、ビデオ表示から静止画表示への切り替えに際して表示不能になる表示フレームの発生を防止することが容易になる。
【００３９】
〔１５〕＜パネルセルフリフレッシュ解除指示の次の垂直同期期間からビデオパケットにより表示＞
項１４において、前記パネルセルフリフレッシュの解除指示は前記ブランキング期間の中間部に配置され、前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える。
【００４０】
これによれば、ブランキング期間の先頭から始まる垂直同期期間に同期して前記表示ドライバに前記第２のコマンドパケットが与えられたとき表示ドライバは当該垂直同期期間に同期してフレームバッファを利用した静止画表示を行うになるので、その次の垂直同期期間からビデオパケットによる画像ストリームデータの表示が可能にされる。
【００４１】
〔１６〕＜フレームアップデート指示に対する応答＞
項１２において、前記ｅＤＰインタフェース仕様に準拠する信号はブランキング期間が前置された前記ピクセルデータを有する。前記パネルセルフリフレッシュの設定指示は前記ブランキング期間の間に配置され、前記ブリッジ部は、前記パネルセルフリフレッシュの設定指示を間に含む前記ブランキング期間の先頭から始まる垂直同期期間に同期して前記第１のコマンドパケットとそれによる指示で前記フレームバッファに取り込まれる画像ストリームデータを含むビデオパケットを前記出力部に与える。前記パネルセルフリフレッシュの解除指示は前記ブランキング期間の中間部に配置され、前記ブリッジ部は、前記パネルセルフリフレッシュの解除指示を間に含む前記ブランキング期間の先頭から始まる垂直同期期間に同期して前記第２のコマンドパケットを前記出力部に与えると共に、それ以降の垂直同期期間に同期してビデオパケットを前記出力部に与える。前記フレームアップデートの指示は前記ブランキング期間の中間部に配置され、前記ブリッジ部は、前記フレームアップデートの指示を間に含む前記ブランキング期間の先頭から始まる垂直同期期間に同期して前記第３のコマンドパケットを前記出力部に与える。
【００４２】
これによれば、項１４及び項１５と同様の作用効果を奏する。更に、前記フレームアップデートの指示に応ずる垂直同期期間にどうきして第３のコマンドパケットが出力部に与えられるので、フレームバッファのアップデートに際して表示不能になる表示フレームの発生を防止することが容易である。
【００４３】
〔１７〕＜制御パケットジェネレータ＞
項１５において、前記入力部は、画像データと制御データの入力に割り当てられるメインリンクと、前記メインリンクよりも低速で制御データの入力に割り当てられる補助入力回路を有する。前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有する。前記コマンドパケットジェネレータは、前記パネルセルフリフレッシュの設定指示に応じて供給された制御パケットに基づいて前記第１のコマンドパケットを生成し、前記パネルセルフリフレッシュの解除指示に応じて供給された制御パケットに基づいて前記第２のコマンドパケットを生成し、前記補助入力回路から供給された制御データに基づくコマンドパケットを生成する。
【００４４】
これによれば、画像データと共にメインリックから供給されるパネルセルフリフレッシュの設定指示／解除指示に応じた制御パケットを制御パケットジェネレータが生成してコマンドパケットジェネレータに与え、それに応じてコマンドパケットジェネレータが第１のコマンドパケット／第２のコマンドパケットを生成するから、メインリンクから入力されるパネルセルフリフレッシュ設定指示だけで第１のコマンドパケットを容易に生成でき、同じくメインリンクから入力されるパネルセルフリフレッシュ解除指示だけで第２のコマンドパケットを容易に生成することができる。
【００４５】
〔１８〕＜ライトメモリパケットジェネレータ＞
項１６において、前記入力部は、画像データと制御データの入力に割り当てられるメインリンクと、前記メインリンクよりも低速で制御データの入力に割り当てられる補助入力回路を有する。前記ブリッジ部は、前記メインリンクから入力した信号に基づいて前記ビデオパケットを生成するビデオパケットジェネレータと、前記第１のコマンドパケット及び第２のコマンドパケットを生成するための制御パケットを生成する制御パケットジェネレータと、前記制御パケット又は前記補助入力回路から入力した制御データが選択的に供給されて前記コマンドパケットを生成するコマンドパケットジェネレータを有する。前記コマンドパケットジェネレータは、前記パネルセルフリフレッシュの設定指示に応じて前記制御パケットジェネレータから供給された制御パケットに基づいて前記第１のコマンドパケットを生成し、前記パネルセルフリフレッシュの解除指示に応じて前記制御パケットジェネレータから供給された制御パケットに基づいて前記第２のコマンドパケットを生成し、前記補助入力回路から供給された制御データに基づくコマンドパケットを生成する。前記ブリッジ部は更に、前記メインリンクが入力したフレームアップデートの指示に応じて前記第３のコマンドパケットを生成するライトメモリパケットジェネレータを有する。
【００４６】
これによれば、項１７と同様の作用効果を奏する。更に、画像データと共にメインリックから供給されるフレームアップデートの指示に応じて、フレームバッファのアップデートの指示とそれに用いる画像データを含む第３のコマンドパケットを容易に生成することができる。
【００４７】
〔１９〕＜パネルセルフリフレッシュの設定／解除でセレクタによる経路選択＞
項１８において、前記コマンドパケットジェネレータの入力として前記補助入力回路に供給された制御データ又は制御パケットジェネレータが出力する制御パケットの何れを有効とするかを選択する第１セレクタと、前記出力部の入力として前記ビデオパケットジェネレータの出力又は前記ライトメモリパケットジェネレータの出力の何れを有効とするかを選択する第２セレクタを有する。前記パネルセルフリフレッシュの設定が指示されたとき、前記第１セレクタは前記制御パケットジェネレータの出力を有効な状態に切り替え、前記第２セレクタは前記ビデオパケットジェネレータの出力を有効な状態に維持し、次の垂直同期期間から前記第２セレクタはライトメモリパケットジェネレータの出力を有効な状態に切り替える。前記パネルセルフリフレッシュの解除が指示されたとき、その次の垂直同期期間から前記第１セレクタは前記補助入力回路に供給された制御データの出力を有効な状態に切り駆ると共に、と前記第２セレクタはビデオパケットジェネレータの出力を有効な状態に切り替える。
【００４８】
これによれば、パネルセルフリフレッシュの設定／解除の指示に従ってセレクタを制御することにより必要な機能選択を簡単に行うことができる。
【００４９】
〔２０〕＜フレームアップデート時にセレクタは選択状態維持＞
項１９において、前記フレームアップデートが指示されたとき、前記第１セレクタは前記制御パケットジェネレータの出力を有効な状態に維持し、前記第２セレクタはライトメモリパケットジェネレータの出力を有効な状態に維持する。
【００５０】
これによれば、前記フレームアップデートの指示があっても第１セレクタ及び第２セレクタの状態を変更することを要せず、セレクタに対する制御処理が簡素化される。
【発明の効果】
【００５１】
本願において開示される発明のうち代表的なものによって得られる効果を簡単に説明すれば下記の通りである。
【００５２】
すなわち、ｅＤＰインタフェース仕様の信号からＭＩＰＩＤＳＩ仕様の信号への画像インタフェース変換を行うブリッジＩＣにおけるＰＳＲ指示に応答する静止画表示制御の省電力を実現することができる。
【図面の簡単な説明】
【００５３】
【図１】図１は本発明に係る電子機器の一例を示すブロック図である。
【図２】図２はブリッジＩＣの具体例を示すブロック図である。
【図３】図３はパネルセルフリフレッシュの設定／解除指示と制御信号ＣＮＴ１乃至ＣＮＴ３の変化との関係を例示するタイミングチャートである。
【図４】図４は表示ドライバがビデオパケットでリアルタイムに供給される画像データを表示する動作モードにおいて動画の表示中にホスト装置２が画像データの供給を継続し、ブリッジＩＣがビデオパケットの供給を継続する様子を例示する説明図である。
【図５】図５は表示ドライバが自らのフレームバッファに蓄えた画像データを表示する動作モードにおいて静止画の表示中にホスト装置が画像データの供給を継続する必要のない様子を例示する説明図である。
【図６】図６はパネルセルフリフレッシュの設定とフレームアップデートの詳細な動作タイミングの一部を例示タイミングチャートである。
【図７】図７は図６に連続する動作タイミングを例示タイミングチャートである。
【図８】図８はパネルセルフリフレッシュの解除の詳細な動作タイミングの一部を例示タイミングチャートである。
【図９】図９は図８に連続する動作タイミングを例示タイミングチャートである。
【図１０】図１０はビデオモード表示からコマンドモード表示への切り替えに際して、ホストインタフェース回路が受け取ったビデオパケットの画像ストリームデータを表示パネルに表示させながら逐次フレームバッファへ取り込む動作を例示する動作説明図である。
【図１１】図１１は垂直同期期間に同期して表示ドライバに第２のコマンドパケットが与えられたとき表示ドライバが当該垂直同期期間にフレームバッファ７利用して静止画を表示し、その次の垂直同期期間からビデオパケットによる画像ストリームデータの表示が可能にされる様子を例示する動作説明図である。
【発明を実施するための形態】
【００５４】
図１には本発明に係る電子機器の一例が示される。同図に示される電子機器１は、ホスト装置２と、ホスト装置２に接続するブリッジＩＣ３、ブリッジＩＣ３に接続する表示ドライバ４、及び表示ドライバ４によって表示制御される表示パネル５を備える。
【００５５】
表示パネルは例えば多数の表示素子がマトリクス配置されたＴＦＴ液晶パネル、プラズマパネル又はＥＬ（Electroluminescence）パネルとされる。表示ドライバ４は動画や静止画の画像データ及びコマンドを入力するホストインタフェース回路６、並びに静止画表示を行うための画像データを取り込むフレームフレームバッファ７等を有し、ホストインタフェース回路６に時系列に供給される画像データやフレームバッファ７に取得された画像データに基づいて表示パネル５に画像を表示させる駆動制御を行う。ここではホストインタフェース回路６は、ＭＩＰＩＤＳＩ仕様に準拠した信号インタフェース機能を有する。
【００５６】
ホスト装置２は例えば命令を実行するＣＰＵ（中央処理装置）によるプログラム処理を行うアプリケーションプロセッサのようなマイクロコンピュータによって構成され、それに内蔵された周辺インタフェース回路に種々の外部入力装置や外部出力装置などの外部周辺装置が接続されている。ここではホスト装置２に内蔵された周辺インタフェース回路として表示用のデータ出力インタフェースとして機能されるｅＤＰインタフェース仕様に準拠したｅＤＰインタフェース回路８が例示されている。ｅＤＰインタフェース回路８は通信用の周辺インタフェース回路で受信されたビデオデータやＣＰＵで演算された画像データをＣＰＵの制御に基づいて外部に出力する。
【００５７】
ブリッジＩＣ３はｅＤＰインタフェース回路８が出力するｅＤＰインタフェース仕様に準拠する画像データや制御データ等の信号を入力し、これをＭＩＰＩＤＳＩ仕様のビデオモードに準拠するビデオパケットやＭＩＰＩＤＳＩ仕様のコマンドモードに準拠するコマンドパケットに変換して表示ドライバ４に与える。
【００５８】
ＭＩＰＩＤＳＩ仕様のビデオモードとは、ホスト装置から表示ドライバへの転送にはリアルタイムでの画像データストリームの形を採るという動作モードであり、その転送にはリアルタイムでの画像データストリームを含むビデオパケットを用いる。ＭＩＰＩＤＳＩ仕様のコマンドモードとは、ホスト装置から表示ドライバのレジスタやフレームバッファに対するリード／ライトの操作にはデータとコマンドの転送の形を採るという動作モードであり、その転送にはコマンドパケットを用いる。
【００５９】
ブリッジＩＣ３は、ｅＤＰインタフェース仕様に準拠する号を前記ｅＤＰインタフェース回路から入力する入力部（ｅＤＰ  Ｒｘ）１１、ＭＩＰＩＤＳＩ仕様に準拠して前記ホストインタフェース回路６に信号を出力する出力部（ＤＳＩ  Ｔｘ）１３、及び入力部１１から入力した信号を出力部１３に渡すための処理を行うブリッジ部（ＢＲＤＧ）１２を有する。入力部１１から入力した信号に基づいて、ブリッジ部１２が、ＭＩＰＩＤＳＩ仕様のビデオモードに準拠するビデオパケット又はＭＩＰＩＤＳＩ仕様のコマンドモードに準拠するコマンドパケットを生成して、出力部１３に与える。この基本的な変換機能に加えてブリッジ部１２は、第１のコマンドパケット、第２のコマンドパケット、及び第３のコマンドパケットの生成機能を有する。ＭＩＰＩＤＳＩ仕様に準拠すれば、ブリッジ部１３は画像データの画素を所定のフォーマットにパッキングし、コマンドを生成して、コマンドパケット及びビデオパケットを生成する。ここで生成されるパケットは主にペイロードを構成するデータやコマンドである。出力部１３はブリッジ部１２で生成されたパケットに対して通信プロトコルに従ったＥＣＣやチェックサムを付加し、通信用の信号レーンの割り当て、パケットのスタート／パケットエンドの処理を行う。本明細書では出力部１３の出力についてもブリッジ部１２で生成されたパケットと区別なくコマンドパケット及びビデオパケットと称する。
【００６０】
第１のコマンドパケットは、入力部１１がホスト装置２から入力したパネルセルフリフレッシュの設定指示に応答してブリッジ部１２が形成するコマンドパケットであり、ビデオパケットの画像ストリームデータに対するフレームバッファ７への取り込みと取り込み後のフレームバッファ７が保持する画像データの表示を指示するコマンドパケットであって、出力部１３に与えられる。第１のコマンドパケットの指示に応答する表示ドライバ４は、ホストインタフェース回路６が受け取ったビデオパケットの画像ストリームデータをフレームバッファ７へ取り込み、取り込みの後にフレームバッファ７が保持する画像データを用いて表示パネル５を表示制御する。
【００６１】
第２のパケットコマンドは、入力部１１がホスト装置２から入力したパネルセルフリフレッシュの解除指示に応答してブリッジ部１２が形成するコマンドパケットであり、フレームバッファ７が保持する画像データの表示からビデオパケットで時系列に供給される画像データの表示への切り替えを指示するコマンドパケットであって、出力部１３に与えられる。第２のコマンドパケットの指示に応答する表示ドライバ４は、その後に前記ビデオパケットで時系列に供給される画像データを用いて表示パネル５を表示制御する。
【００６２】
第３のコマンドパケットは、パネルセルフリフレッシュの設定指示に応答してからパネルセルフリフレッシュの解除指示に応答するまでの間、前記入力部がホスト装置２から入力したフレームアップデートの指示に応答して、当該指示に付随する画像データと当該画像データによるフレームバッファ７の書き換え指示を含むコマンドパケットであって、出力部１３に与えられる。第３のコマンドパケットの指示に応答する表示ドライバ４は、当該コマンドパケットに含まれる画像データによってフレームバッファを書き換え、書き換え後の画像データを用いた表示パネル５の表示制御を継続する。
【００６３】
図２にはブリッジＩＣ３の具体例が示される。ブリッジＩＣ３は特に制限されないが、単結晶シリコンのような１個の半導体基板に公知のＣＭＯＳ集積回路製造技術によって形成される。
【００６４】
入力部１１は、メインリンク（Main Link）２０、補助入力回路（AUX）２１、及びパネルセルフリフレッシュコントローラ（PSR Controller）２２を有する。メインリンク２０はホスト装置２のｅＤＰインタフェース回路８から出力される画像データと制御データを入力し、例えば４対の信号レーンを用いて５．４Ｇｂｐｓ／レーンのレートで入力する。補助入力回路２１はそれよりも低速でホスト装置２から制御データを入力する。パネルセルフリフレッシュの設定指示／解除指示、そしてはフレームアップデートの指示は、ホスト装置２方メインリンク２０に与えられる。メインリンク２０に与えられたそれらの指示情報はパネルセルフリフレッシュコントローラ２２に与えられ、パネルセルフリフレッシュコントローラ２２はそれに基づいて前記第１乃至第３のコマンドパケットをブリッジ部１２に生成させるための制御信号ＣＮＴ１，ＣＮＴ２，ＣＮＴ３などを発生する。
【００６５】
ブリッジ部１２は、メインリンク２０から入力した制御データ及び画像データを一時的に蓄えるラインバッファ（Line Buffer）３０と、補助入力回路２１からの入力された制御データが順次ライトアクセスされるレジスタ回路（Register）３２を有する。ラインバッファ３０は高速で入力される制御データ及び画像データを時系列に格納する。レジスタ回路３２は補助入力回路２１から入力された書き込み指令に従って制御データを格納する。更にブリッジ部１２は、タイミング及びビデオジェネレータ（Timing & Video Generator）３１、ビデオパケットジェネレータ（Video Packet Generator）３３、コマンドパケットジェネレータ（Command Packet Generator）３４、ライトメモリパケットジェネレータ（Write Memory Packet Generator）３７、パネルコントロールパケットジェネレータ（Panel Control Packet Generator）３５、セレクタ３６及びセレクタ３８を有する。
【００６６】
タイミング及びビデオジェネレータ３１はラインバッファ３０に格納された制御データ及び画像データを入力して、表示制御のためのタイミング信号及びビデオデータを生成する。ビデオパケットジェネレータ３３はそれによって生成されたタイミング信号及びビデオデータからビデオパケットを生成して出力する。ライトメモリパケットジェネレータ３７はタイミング及びビデオジェネレータ３１によって生成されたタイミング信号及びビデオデータから第３のコマンドパケットを生成して出力する。セレクタ３８は、ビデオパケットジェネレータ３３の出力又はライトメモリパケットジェネレータ３７の出力の何れを有効な状態にするかを制御信号ＣＮＴ３で選択する。これによって有効と選択された出力が出力部１３に与えられる。特に制限されないが、セレクタ３８は制御信号ＣＮＴ３がハイレベル（論理値１）のとき入力ポートＰ１からの入力を選択し、制御信号ＣＮＴ３がローレベル（論理値０）のとき入力ポートＰ０からの入力を選択する。特に制限されないが、セレクタ３８の選択状態に同調して、ビデオパケットジェネレータ３３は制御信号ＣＮＴ３のローレベルによって動作可能なアクティブ状態に、そのハイレベルによってスタンバイ状態にされてもよい。
【００６７】
パネルコントロールパケットジェネレータ３５は、第１のコマンドパケットを生成するための第１の制御パケット及び第２のコマンドパケットを生成するための第２の制御パケットを生成する。例えばパネルコントロールパケットジェネレータ３５は、第１の制御パケットの情報と第２の制御パケットの情報を保持する不揮発性レジスタによって構成され、制御信号ＣＮＴ１の立ち上がり（論理値０から論理値１への変化）に同期して第１の制御パケットを出力し、制御信号ＣＮＴ１の立ち下がり（論理値１から論理値０への変化）に同期して第２の制御パケットを出力する。制御パケットはコマンドパケットの制御データにされるデータを意味する。セレクタ３６は、レジスタ回路３２が出力する制御データ又はパネルコントロールパケットジェネレータ３５が出力する第１の制御パケット／第２の制御パケットの何れを有効にするかを制御信号ＣＮＴ２で選択する。これによって有効と選択された出力がコマンドパケットジェネレータ３４に与えられる。コマンドパケットジェネレータ３４は第１の制御パケット／第２の制御パケットが与えられたときは第１のコマンドパケット／第２のコマンドパケットを生成して出力部１３に出力し、レジスタ回路３２からの制御データが与えられたときはその他のコマンドパケットを生成して出力部１３に出力する。セレクタ３６は制御信号ＣＮＴ２がハイレベル（論理値１）のとき入力ポートＰ１からの入力を選択し、制御信号ＣＮＴ２がローレベル（論理値０）のとき入力ポートＰ０からの入力を選択する。
【００６８】
出力部１３はローレベルプロトコル部（Low Level Protocol）４０、レーンマネジメント部（Lane Manegemet）４１、及びフィジカル部（Serializer & D-PHY）４２を有する。ローレベルプロトコル部４０はセレクタ３８の出力及びコマンドパケットジェネレータ３４の出力に対して通信プロトコルに従ったＥＣＣやチェックサムを付加する。レーンマネジメント部４１は通信用の信号レーンの割り当てを行う。ここでは例えば４対の１Ｇｂｐｓ／レーンの通信レートによるデータとクロック信号の通信レーンを２ポート有する。フィジカル部４２は選択された通信レーンに対するパケットスタート／パケットエンドの処理を行う。
【００６９】
図３にはパネルセルフリフレッシュの設定／解除指示と制御信号ＣＮＴ１乃至ＣＮＴ３の変化との関係がタイミングチャートで例示される。ホスト装置２からパネルセルフリフレッシュの設定指示があると制御信号ＣＮＴ１，ＣＮＴ２がハイレベルにされ、第１のコマンドパケットが表示ドライバ４に出力され、表示ドライバ４は当該表示フレームにおいてビデオパケットで供給されてくる画像データを表示しながらフレームバッファ７に蓄積し、その次の表示フレームからフレームバッファ７の画像データを読み出して表示するコマンドモードによる表示モードに遷移する。
【００７０】
コマンドモードによる表示モードの途中でホスト装置２からフレームアップデートの指示があると、ブリッジＩＣが第３のパケットコマンドを表示ドライバ４に発行し、表示ドライバ４は当該第３のコマンドパケットに含まれる画像データでフレームバッファ７を書き換えて、画像データを更新し、コマンドモードによる表示制御を継続する。
【００７１】
ホスト装置２からパネルセルフリフレッシュの解除指示があると先ず制御信号ＣＮＴ１がローレベルに変化されて第２のコマンドパケットが表示ドライバ４に出力されると共に、制御信号ＣＮＴ３がローレベルに変化し、表示ドライバ４は当該表示フレームにおいてコマンドモードによる表示を続けながら次の表示フレームの開始を待ち、当該次の表示フレームからビデオパケットで供給されてくる画像データを表示するビデオモードによる表示モードに遷移する。
【００７２】
ビデオモードによる表示、即ち、表示ドライバがビデオパケットでリアルタイムに供給される画像データを表示する動作モードでは、それによる動画の表示中は図４に例示されるように、ホスト装置２は画像データの供給を継続し、ブリッジＩＣはビデオパケットの供給を継続することになる。
【００７３】
一方、コマンドモードによる表示、即ち、表示ドライバが自らのフレームバッファ７に蓄えた画像データを表示する動作モードでは、それによる静止画の表示中は図５に例示されるように、ホスト装置２は画像データの供給を継続する必要はないから、ｅＤＰインタフェース回路８は出力を高インピーダンス状態にすればよい。同様にブリッジＩＣはビデオパケットの供給を継続することを要しないから、出力部１３はローパワーモードにされればよい。ＭＩＰＩＤＳＩ仕様においてローパワーモードはハイスピードモードに比べて低速且つ高振幅の信号出力モードであり、信号出力を要しないときはハイレベルに固定される。尚、コマンドモードによる表示中にフレームアップデートの指示があったときは、特に制限されないが、当該指示のあった表示フレーム期間ではブリッジＩＣ３はハイスピードモードに対応して動作する。
【００７４】
パネルセルフリフレッシュの設定指示に応答して得られる図５の静止画表示形態は、ＭＩＰＩＤＳＩインタフェース回路を持つホスト装置に表示ドライバ４を接続した場合と同様になっている。これはホスト装置からのパネルセルフリフレッシュの設定指示に応答してブリッジＩＣ３が第１のコマンドパケットを生成して表示ドライバ４に渡す制御機能をブリッジＩＣ３が備えるからである。仮のそのような機能を備えなければ、静止画であっても表示ドライバに対して所要のリフレッシュレートでブリッジＩＣが画像データをビデオパケットにて送信し続ける必要がある。ホスト装置からパネルセルフリフレッシュモードの指示があった場合に、ホスト装置だけでなくブリッジＩＣも毎フレームで画像データを表示装置に出力しなくて済むようにはならない。従って、本実施の形態に係るブリッジＩＣ３を用いて、ｅＤＰインタフェース仕様の信号からＭＩＰＩＤＳＩ仕様の信号への画像インタフェース変換を行うことにより、パネルセルフリフレッシュ指示に応答する静止画表示制御の省電力を実現することができる。
【００７５】
図６及び図７にはパネルセルフリフレッシュの設定とフレームアップデートの詳細な動作タイミング（PSR Entry and Signal Frame Update Timing）が例示される。図６のＡ−Ａの部分は図７のＡ−Ａの部分とタイミング上連続している。
【００７６】
ホスト装置（ApplicationProcessor(HOST)）２がメインリンク２０への信号線（Main Link Lane）に供給するｅＤＰインタフェース仕様に準拠する信号はブランキング期間（VBLANK）が前置された前記ピクセルデータ（Pixel Data）を有する。図６においてFrame N-1は動画のN-１フレーム目のビデオデータを意味し、Frame Nは動画のNフレーム目のビデオデータを意味する。パネルセルフリフレッシュの設定指示(PSR Entry SDP)は前記ブランキング期間（VBLANK）の間に配置され、図６の例ではそのブランキング期間（VBLANK）の直後にピクセルデータ（Pixel Data (Frame N)）が配置されている。ブリッジＩＣ３の入力部（ｅＤＰ  Ｒｘ）１１は、パネルセルフリフレッシュの設定指示(PSR Entry SDP)を間に含む前記ブランキング期間の先頭（ｔ０）から始まる垂直同期期間（Ｔｖ＿１）に同期して第１のコマンドパケット（ＣＭＤ１）を出力部１３に与えると共に（ｔ１）、それによる指示で前記フレームバッファ７に取り込まれる画像ストリームデータ（Pixel Data (Frame N)）を含むビデオパケットを出力部１３に与える（ｔ２）。メインリンク２０へ供給される信号に基づいてブリッジＩＣが生成する垂直同期信号（VSYNC Packet）及び水平同期信号（HSYNC Packet）として例示されているが、それらはビデオパケットに明示的若しくは暗黙的に含まれる信号である。ビデオモードにおいて垂直同期信号（VSYNC Packet）で規定される表示フレーム期間（Ｔｖ＿２）はブランキング期間（VBLANK）の先頭に同期して生成される。
【００７７】
第１のコマンドパケット（ＣＭＤ１）と画像ストリームデータ（Pixel Data (Frame N)）を含むビデオパケットを受け取った表示ドライバ（LCD Driver）４はビデオスルーモード（Video Through Mode）からビデオキャプチャモード（Video Capture Mode）に変化され、ホストインタフェース回路６が受け取ったビデオパケットの画像ストリームデータ（Pixel Data (Frame N)）を表示パネル５に表示させながら逐次フレームバッファ７へ取り込む。垂直同期信号（VSYNC Packet）で規定される次の表示フレーム期間になると、表示ドライバ４はコマンドモード（Command Mode）に遷移し（ｔ３）、それ以降、表示ドライバ４はフレームバッファ７が保持する画像データ（Pixel Data (Frame N) from RAM）を表示パネル７に静止画として表示制御する。コマンドモードでは表示ドライバ４に垂直同期信号（VSYNC Packet）は供給されず、表示ドライバ４は自らのタイミングで垂直同期信号（VSYNC）を出力する。
【００７８】
このように、ホスト装置２からのパネルセルフリフレッシュの設定指示に応答してビデオパケットによる画像ストリームデータを用いた動画表示（ビデオモード表示）からフレームバッファ７の画像データを用いた静止画表示（コマンドモード表示）への切り替えに際して、ホストインタフェース回路６が受け取ったビデオパケットの画像ストリームデータ（Pixel Data (Frame N)）を表示パネル５に表示させながら逐次フレームバッファ７へ取り込むから、ホスト装置２から供給された画像データは一切非表にはされない。その様子は図１０の具体例に示される通りであり、Tmg1で示されるタイミングでホスト装置（Host）２からブリッジＩＣ（ＳｏＣ）３にパネルセルフリフレッシュの設定指示があったとき、表示ドライバ（Driver）４はビデオキャプチャモード（Video Capture Mode）において、ビデオモードで供給される画像ストリームデータを表示パネル(Display)５に表示させながら、例えば１／３に圧縮してフレームバッファ（Frame Memory）７に格納していく。その後のビデオ表示モードではフレームバッファ７に格納された画像データを３倍に伸張して表示パネル(Display)５に表示する。
【００７９】
従って、最後のビデオパケットのデータを表示しながらフレームバッファ７に取得できるので、第１のパケットコマンドにビデオパケットを容易に追従させることができ、ビデオモード表示（動作表示）からコマンドモード表示（静止画表示）への切り替えに際して表示不能になる表示フレームの発生を容易に防止することができる。
【００８０】
図７に例示されるように、フレームアップデートの指示（Signal Flame Update SDP）はブランキング期間(VBLANK)の中間部に配置され、図７の例ではそのブランキング期間（VBLANK）の直後にアップデート用のピクセルデータ（Pixel Data (SFU)）が配置されている。ブリッジＩＣ３は、フレームアップデートの指示（Signal Flame Update SDP）を間に含むブランキング期間の先頭（ｔ４）から始まる垂直同期期間（Ｔｖ＿１）に同期してアップデートの制御データとアップデート用のピクセルデータ（Pixel Data (SFU)を含む第３のコマンドパケット（ＣＭＤ３）を前記出力部１３に与える（ｔ５）。第３のコマンドパケット（ＣＭＤ３）を受け取った表示ドライバ（LCD Driver）４は、その表示フレーム期間中にフレームバッファ７の画像データを読み出して表示しながらアップデート用のピクセルデータ（Pixel Data (SFU)）でフレームバッファ７を逐次書き換え、次の表示フレーム期間からはアップデートされた画像データ（Pixel Data (SFU) from RAM）をフレームバッファ７から読み出して静止画表示を継続する。
【００８１】
このように、ブリッジＩＣ３はフレームアップデートの指示に応ずる垂直同期期間でフレームアップデートの制御データとアップデート用の画像データを含む第３のコマンドパケットを、コマンドモードの表示ドライバ４に出力するから、フレームバッファ７のアップデートに際して表示不能になる表示フレームの発生を容易に防止することができる。
【００８２】
図８及び図９にはパネルセルフリフレッシュの解除の詳細な動作タイミングが例示される。図８のＢ−Ｂの部分は図９のＢ−Ｂの部分とタイミング上連続している。
【００８３】
ホスト装置（ApplicationProcessor(HOST)）２がメインリンク２０への信号線（Main Link Lane）に供給するｅＤＰインタフェース仕様に準拠する信号はブランキング期間（VBLANK）が前置された前記ピクセルデータ（Pixel Data）を有する。図８及び図９においてFrame N+1〜Frame N+1は動画のN+1フレーム目からN+3フレーム目のビデオデータを意味する。パネルセルフリフレッシュの解除指示(PSR exit SDP)は前記ブランキング期間（VBLANK）の間に配置され、図８の例ではそのブランキング期間（VBLANK）の直後にピクセルデータ（Pixel Data (Frame N+1)）が配置されている。パネルセルフリフレッシュの解除指示(PSR Exit SDP)は表示ドライバ４がコマンドモードで表示制御を行っているときホスト装置２から発行される。ブリッジＩＣ３の入力部（ｅＤＰ  Ｒｘ）１１は、パネルセルフリフレッシュの解除指示(PSR Exit SDP)を間に含む前記ブランキング期間の先頭（ｔ１０）から始まる垂直同期期間（Ｔｖ＿１）にパネルセルフリフレッシュの解除を指示する制御データと画像ストリームデータ（Pixel Data (Frame N)）を含む第２のコマンドパケット（CMD2）を出力部１３に与え（ｔ１１）、それ以降の垂直同期期間に同期してビデオパケットを前記出力部１３に与える（ｔ１３、ｔ１４、…）。第２のコマンドパケット（CMD2）を受け取った表示ドライバ４は表示フレーム期間（垂直同期期間Tv_1に同期する期間：Tv_2）の開始（ｔ１２）を待ち、当該表示フレーム期間以降に各表示フレーム期間に同期して与えられるビデオパケットの画像データ（Pixel Data (Frame N+1)、Pixel Data (Frame N+2)、…）を用いて動画表示を行う。
【００８４】
このように、垂直同期期間に同期して表示ドライバ４に前記第２のコマンドパケット（CMD2）が与えられたとき表示ドライバは４当該垂直同期期間に同期してフレームバッファ７を利用して静止画を表示することになるので、その次の垂直同期期間に同期してビデオパケットによる画像ストリームデータの表示が可能にされる。その様子は図１１の具体例に示される通りであり、Tmg2で示されるタイミングでホスト装置（Host）２からブリッジＩＣ（ＳｏＣ）３にパネルセルフリフレッシュの解除指示があったとき、表示ドライバ（Driver）４はコマンドモード（Command Mode）にされているので、当該垂直同期期間の経過を待ち、次の垂直同期期間に同期してビデオモードで供給される画像ストリームデータを表示パネル(Display)５に表示させる。
【００８５】
以上本発明者によってなされた発明を実施の形態に基づいて具体的に説明したが、本発明はそれに限定されるものではなく、その要旨を逸脱しない範囲において種々変更可能であることは言うまでもない。
【００８６】
例えば、ブリッジＩＣの機能ブロックの構成は図２に限定されず適宜変更可能である。例えば図２ではセレクタ３８をライトメモリパケットジェネレータ３７、ビデオパケットジェネレータ３３から独立した選択回路として図示したが、夫々のジェネレータ３７，３３のイネーブル／ディスエーブルを選択する回路要素であってもよい。セレクタ３６についても同様であり、パネルコントロールパケットジェネレータ３５の出力動作又はレジスタ回路３２の出力動作に対するイネーブル／ディスエーブルを選択する回路要素であってもよい。また、入力部１１、ブリッジ部１２、及び出力部１３の具体的な機能切り分けは図２に限定されず、適宜変更可能である。
【００８７】
また、ブリッジＩＣはその他の論理機能、例えばその他の信号インタフェース変換機能などを併せて搭載することも可能である。
【００８８】
また、本明細書において画像データは表示対象にされるデータを意味し、グラフィックデータに限らず文字コードデータなどであってもよいことは言うまでもない。
【符号の説明】
【００８９】
１  電子機器
２  ホスト装置
３  ブリッジＩＣ
４  表示ドライバ
５  表示パネル
６  ホストインタフェース回路
７  フレームバッファ
８  ｅＤＰインタフェース回路
１１  入力部（ｅＤＰ  Ｒｘ）
１２  ブリッジ部（ＢＲＤＧ）
１３  出力部（ＤＳＩ  Ｔｘ）
２０  メインリンク
２１  補助入力回路
２２  パネルセルフリフレッシュコントローラ
ＣＮＴ１，ＣＮＴ２，ＣＮＴ３  制御信号
３０  ラインバッファ
３１  タイミング及びビデオジェネレータ
３２  レジスタ回路
３３  ビデオパケットジェネレータ
３４  コマンドパケットジェネレータ
３５  パネルコントロールパケットジェネレータ
３６  セレクタ
３７  ライトメモリパケットジェネレータ
３８セレクタ
４０  ローレベルプロトコル部
４１  レーンマネジメント部
４２  フィジカル部
【図１】
2016206368.tif 000003
【図２】
2016206368.tif 000004
【図３】
2016206368.tif 000005
【図４】
2016206368.tif 000006
【図５】
2016206368.tif 000007
【図６】
2016206368.tif 000008
【図７】
2016206368.tif 000009
【図８】
2016206368.tif 000010
【図９】
2016206368.tif 000011
【図１０】
2016206368.tif 000012
【図１１】
2016206368.tif 000013